(57)【特許請求の範囲】
【請求項１】
床面上に敷設される畳であって、
長辺の長さが短辺の長さの２倍の長方形状を有し、
前記長方形の第１及び第２長辺にそれぞれ平行な第１及び第２溝部と、前記長方形の第１及び第２短辺にそれぞれ平行な第３及び第４溝部と、前記長方形を長手方向に二分する中心線に平行であり、該中心線から前記長手方向の一側及び他側にそれぞれ位置する第５及び第６溝部と、が裏側に設けられ、
前記第１長辺及び前記第１溝部、前記第２長辺及び前記第２溝部、前記第１短辺及び前記第３溝部、前記第２短辺及び前記第４溝部、前記中心線及び前記第５溝部、並びに前記中心線及び前記第６溝部、のそれぞれの間の離間距離はすべて等しいことを特徴とする畳。
【請求項２】
前記離間距離が４００ｍｍ以下であることを特徴とする、請求項１に記載の畳。
【請求項３】
前記第１溝部〜第６溝部の６つの溝部の少なくとも１つの上方に、該溝部と前記畳の表側とを連通させる孔部が設けられていることを特徴とする、請求項１又は２に記載の畳。
【請求項４】
前記孔部に溝部内のケーブルを畳の表側にある他のケーブルと接続させるケーブル接続器具が設けられていることを特徴とする、請求項３に記載の畳。
【請求項５】
前記ケーブル接続器具は、前記長方形の４つの角部の少なくとも１つに設けられたケーブルボックスであり、
前記ケーブルボックスは、前記離間距離以上の長さの辺部を有し、表側から電源ケーブルの差込プラグを差込み可能なプラグ受けを有することを特徴とする、請求項４に記載の畳。
【請求項６】
前記ケーブルボックスの上面は、畳地の蓋部材によりカバーされることを特徴とする、請求項５に記載の畳。
【請求項７】
前記蓋部材には、前記ケーブルボックスの内部に通じる開口が形成されていることを特徴とする、請求項６に記載の畳。
【請求項８】
請求項１〜７のいずれか1項に記載の畳を表側から裏側に向かう方向に切断した部分形状の畳であって、
前記部分形状は前記長方形の少なくとも１辺の全てを含むことを特徴とする、畳。
【請求項９】
１又は２以上の接続溝部が裏側に設けられ、
前記接続溝部と畳の表側とを連通させる孔部とが設けられていることを特徴とする、畳。
【請求項１０】
前記孔部に前記接続溝部内のケーブルを畳の表側にある他のケーブルと接続させるケーブル接続器具が設けられていることを特徴とする、請求項９に記載の畳。
【請求項１１】
前記ケーブル接続器具は、表側から電源ケーブルの差込プラグを差込み可能なプラグ受けを有するケーブルボックスであることを特徴とする、請求項１０に記載の畳。
【発明の詳細な説明】
【技術分野】
【０００１】
本発明は、床面上に敷設される畳に関する。
【背景技術】
【０００２】
宿泊施設、飲食店、集会場等の複数の畳が敷設された部屋において、部屋の中央に位置するテーブル上或いはその周囲に暖房器具等の電気機器、パソコン等の情報端末、ガスコンロ等の調理器具（これらを総称して電気機器等と呼ぶ）が配置された場合、通常、それらに接続する電源ケーブル、ＬＡＮケーブル、ガスホース等の各種ケーブルを畳の上に這設し（これらを総称してケーブル等と呼ぶ）ている。しかし、部屋の利用者が畳の上に這設されたケーブル類に足をかけるなどの事故を起こすおそれがある。
【０００３】
それに対して、床の上に別の床を設けて二重床を構成し、２つの床の間に形成される空間内にケーブル等を配設することが考えられる。しかし、別の床の上にさらに畳を敷設することで、床の高さがさらに高くなる、コストの増大を招く、といった問題が生じる。
【０００４】
そこで、例えば特許文献１には、床暖房用の畳であって、その裏面に電源ケーブルを配設することのできる溝部が設けられた畳が開示されている。しかし、床面上に複数の畳を敷設する際に、隣接する畳の間で溝部が連接するよう、畳の向きを考慮して敷設しなければならない。
【０００５】
特許文献２にも、その裏面に電源ケーブルを配設することのできる溝部が設けられた畳が開示されている。特許文献２の畳は、畳の向きにかかわらず隣接する畳の間で溝部が連接する。しかし、畳の隅近くには溝部がないため、畳の裏側のケーブル等又はそれに連接するものを畳の表側に露出させる場合、畳表を貫通させなければならなくなってしまう。
【０００６】
すなわち、特許文献１及び２に開示された畳は、電源ケーブル等を畳の裏の機械（床暖房装置）に接続することを目的としており、畳の上に配された電気機器に通電させることに適したものではなかった。
【先行技術文献】
【特許文献】
【０００７】
【特許文献１】特開２００３−２３９５１２号公報
【特許文献２】特開平１１−８１６３３号公報
【発明の概要】
【発明が解決しようとする課題】
【０００８】
本発明は、床面上に敷設される畳であり、ケーブル等を畳の上に露出することなく裏側に配設することのできる畳を提供することを課題とする。また、ケーブル等又はそれに連接するものを畳の表側に露出させることが容易な畳を提供することを課題とする。
【課題を解決するための手段】
【０００９】
本発明は、床面上に敷設される畳であって、長辺の長さが短辺の長さの２倍の長方形状を有し、長方形の第１及び第２長辺にそれぞれ平行な第１及び第２溝部と、長方形の第１及び第２短辺にそれぞれ平行な第３及び第４溝部と、長方形を長手方向に二分する中心線に平行であり、その中心線から長手方向の一側及び他側にそれぞれ位置する第５及び第６溝部と、が裏側に設けられ、第１長辺及び第１溝部、第２長辺及び第２溝部、第１短辺及び第３溝部、第２短辺及び第４溝部、中心線及び第５溝部、並びに中心線及び第６溝部、のそれぞれの間の離間距離はすべて等しいことを特徴とする。
【００１０】
これによれば、床面上に間隙なく畳を複数敷設した際に、複数の畳のそれぞれの向きに関係なく溝部が連接することで、連接した溝部を介してケーブル等を敷設された畳の下に配設することができる。
【００１１】
ここで、ケーブル等とは、電源ケーブル、ＬＡＮケーブル、ガスホース等の各種ケーブル、配管類を意味するものとする。
【００１２】
本発明の畳は、離間距離が４００ｍｍ以下であることを特徴とする。
【００１３】
これによれば、畳の角部に溝部に接する部分が構成され、畳の角を切り欠いて孔部を生成し、そこに後述のケーブル接続器具（ケーブルボックス等）を設けることができる。ケーブルボックス等を付した畳の生産が容易であり、畳表にケーブルを貫通させるための孔をあけないことができる。
離間距離は、ケーブルボックス等のサイズよりも小さければよい。「４００ｍｍ以下」としたが、ケーブルボックスが小さい場合には「３００ｍｍ以下」「２００ｍｍ以下」、その他ケーブルボックス（正方形状であるとする）の一辺よりも短くすることが好ましい。
【００１４】
本発明の畳は、第１溝部〜第６溝部の６つの溝部の少なくとも１つの上方に、該溝部と畳の表側とを連通させる孔部が設けられていることを特徴とする。
【００１５】
これによれば、孔部を介してケーブルを畳の表側に導くことができる。
【００１６】
本発明の畳は、孔部に溝部内のケーブルを畳の表側にある他のケーブルと接続させるケーブル接続器具が設けられていることを特徴とする。
【００１７】
これによれば、溝部内のケーブルがケーブル接続器具に接続され、表側から別のケーブルをケーブル接続器具に接続することで、表側の電気機器等を使用することができる。ケーブル接続器具としては後述のケーブルボックス（プラグ受けを有するケーブルボックス）が代表的であるが、電源コンセント、着脱可能なガスプラグ、ＬＡＮケーブル用のハブ等は、ケーブルボックスを設けずともケーブル接続器具として機能し得る。
【００１８】
本発明の畳は、ケーブル接続器具は長方形の４つの角部の少なくとも１つに設けられたケーブルボックスであって、ケーブルボックスは、離間距離以上の長さの辺部を有し、表側から電源ケーブルの差込プラグを差込み可能なプラグ受けを有することを特徴とする。
【００１９】
これによれば、ケーブルボックスが溝部と連接し、外部電源に接続する電源ケーブルを溝部を介してケーブルボックスに接続しておくことで、表側から別の電源ケーブルの差込プラグがプラグ受けに差し込まれた際に電源を供給することができる。
【００２０】
本発明の畳は、ケーブルボックスの上面は、畳地の蓋部材によりカバーされることを特徴とする。
【００２１】
これによれば、カバーによりケーブルボックスを隠すことができる。
【００２２】
本発明の畳は、蓋部材には、ケーブルボックスの内部に通じる開口が形成されていることを特徴とする。
【００２３】
これによれば、表側に配置される電気器具のケーブルを開口に通し、コンセント部分を蓋部材で覆うことができる。
【００２４】
本発明の畳は、畳を表側から裏側に向かう方向に切断した部分形状の畳であって、部分形状は長方形の少なくとも１辺の全てを含むことを特徴とする。
【００２５】
これによれば、例えば四畳半の部屋に使用される半畳（９００ｍｍ四方）の畳や、部屋のサイズに調整するために周縁に配されるいわゆる「役物」の畳にも本発明の「真物」の畳と同等の機能を持たせることができる。
【００２６】
本発明はまた、１又は２以上の接続溝部が裏側に設けられ、接続溝部と畳の表側とを連通させる孔部とが設けられていることを特徴とする畳である。
【００２７】
これによれば、畳の任意の箇所に孔部を設け、ケーブルを孔部に導いて畳の表側にケーブルを接続することができる。孔部が設けられた畳は、裏側のケーブル入口から孔部（ケーブル出口）にケーブルを接続する。ケーブル入口及びケーブル出口を共に裏側に設ける畳（孔部が設けられていない畳）に比して、溝部（接続溝部）の位置を自由に設計し得る。ケーブル出口を他の畳のケーブル入口に接続する必要がないためである。
【００２８】
本発明の畳は、孔部に接続溝部内のケーブルを畳の表側にある他のケーブルと接続させるケーブル接続器具が設けられていることを特徴とする。
【００２９】
これによれば、接続溝部内のケーブルがケーブル接続器具に接続され、表側から別のケーブルをケーブル接続器具に接続することで、表側の電気機器等を使用することができる。
【００３０】
本発明の畳は、ケーブル接続器具は、表側から電源ケーブルの差込プラグを差込み可能なプラグ受けを有するケーブルボックスである。
【００３１】
これによれば、表側から別の電源ケーブルの差込プラグがプラグ受けに差し込まれた際に電源を供給することができる。
【発明の効果】
【００３２】
本発明の畳によれば、ケーブル等を露出することなく裏側に配設することが可能となる。また、ケーブル等又はそれに連接するものを畳の表側に露出させることが容易となる。
【図面の簡単な説明】
【００３３】
【図１】図１は、畳の構成を示す図である。
【図２】図２は、複数の畳を敷設することによる溝部の連接を示す図である。
【図３】図３は、敷設された複数の畳の裏側に溝部を介してケーブル等を配設する例を示す図である。
【図４】図４は、役物畳を使用する例を示す図である。
【発明を実施するための形態】
【００３４】
以下、本実施形態に係る畳１について説明する。
【００３５】
（畳の基礎的な構造）
図１に、畳１の構成を示す。図１（Ａ）に正面図、並びに（Ｂ）及び（Ｃ）にそれぞれ図１（Ａ）における右方及び下方から見た場合の側面図が与えられている。畳１は、本体、ケーブルボックス３、及びカバー４から構成される。
【００３６】
本体は、例えば長辺の長さが１８００ｍｍ（６尺）、短辺の長さが９００ｍｍ（３尺）、すなわち縦横比が１対２の長方形状を有し、板状の畳床を芯材とし、その表面を例えばイグサを編み込んで成形されるシート状の畳表を用いてカバーすることで構成されている。畳１の縁に、畳表を留める帯状の畳縁を縫い付けてもよい。
【００３７】
畳１の裏面には、２つの長辺（図１（Ａ）における上辺及び下辺）にそれぞれ平行な２つの溝部２ａ，２ｂが形成されている。同様に、２つの短辺（図１（Ａ）における左辺及び右辺）にそれぞれ平行な２つの溝部２ｃ，２ｄが形成されている。さらに、長方形を長手方向（図面左右方向）に二分する中心線Ｌに平行であり、その中心線から長手方向の一側（図面左方）及び他側（図面右方）にそれぞれ位置する２つの溝部２ｅ，２ｆが形成されている。すなわち、中心線Ｌにより二分される半部のそれぞれについて、「井」の形に溝部２ａ〜２ｆが形成されている。ここで、上辺及び溝部２ａ、下辺及び溝部２ｂ、左辺及び溝部２ｃ、右辺及び溝部２ｄ、中心線Ｌ及び溝部２ｅ、並びに中心線Ｌ及び溝部２ｆ、のそれぞれの間の離間距離ｄはすべて等しく、一例として１３２．５ｍｍとする。
【００３８】
６つの溝部２ａ〜２ｆの幅及び高さはすべての溝部について等しく、一例としてケーブル類を配設するのに適当な幅３５ｍｍ及び高さ３５ｍｍとする。従って、例えば溝部２ａは溝部２ｃ〜２ｆと交差し、その交差を介して溝部２ｃ〜２ｆに繋がっている。同様に、溝部２ｂは溝部２ｃ〜２ｆと交差し、その交差を介して溝部２ｃ〜２ｆに繋がっている。すなわち、６つの溝部２ａ〜２ｆは連接されている。畳の辺又は中心線と溝部の中心との距離は１５０ｍｍ（＝１３２，５ｍｍ＋３５ｍｍ／２）となる。
【００３９】
ケーブルボックス３は、畳１の一角部（図面右下の角部）に設けられている。ケーブルボックス３は、例えば一辺の長さが２５０ｍｍの平面視正方形状の箱体であり、その一側面（図１（Ａ）における上側面）には溝部２ｄに繋がる開口（不図示）、別の側面（左側面）には溝部２ｂに繋がる開口（不図示）が形成されている。
【００４０】
ケーブルボックス３の一辺の長さ（２５０ｍｍ）は、離間距離ｄ（１３２．５ｍｍ）に溝部の幅（３５ｍｍ）を加えた長さ（１６７．５ｍｍ）より大きい。図１（Ｂ）の下端及び図１（Ｃ）の右端に示すように、ケーブルボックス３の側部に溝部が接合し、ケーブル等を溝部からケーブルボックス３に導入することができる。なお、ケーブルボックス３の一辺の長さは、離間距離ｄに溝部の幅を加えた長さよりも大きいことが好ましいが、離間距離ｄよりも大きければケーブル等を溝部からケーブルボックス３に導入することは可能である。
【００４１】
ケーブルボックス３の上面には、畳１の表側から電源ケーブルの差込プラグを差込むことのできるプラグ受け（不図示）が設けられている。それにより、外部電源に接続する配設用の電源ケーブルを畳１の裏側に溝部２ａ〜２ｆを介して配線し、ケーブルボックス３（プラグ受け）に接続しておくことで、ケーブルボックス３を介して畳１の上に配置される電気機器等に電源を供給することができる。
【００４２】
カバー４は、ケーブルボックス３の上面をカバーして隠す蓋部材である。カバー４は、ケーブルボックス３の上面と同形状を有し、その表面は本体の畳表と同じ畳表により覆われている。カバー４には、ケーブルボックス３の内部に通じる開口４ａが形成されている。開口４ａは例えば直径１５ｍｍ程度の円形状であり、溝部２ａ〜２ｆを介して配設されたＬＡＮケーブル等、電源ケーブル以外のケーブル、配管類を開口４ａを介して畳１の表側に引き延ばして電気機器等に接続することができる。なお、カバー４は、畳表で覆われていなくてもよく、木材、金属材、石材、化粧合板材を用いることもできる。タイル、内装床材、フローリング材等の床面に使用されているものして自然な感じを与えることもできる。
【００４３】
なお、床面上に敷設する複数の畳のすべてに、畳１のようにケーブルボックス３及びこれをカバーするカバー４を設ける必要はない。ケーブルボックス３及びカバー４を設けず、本体のみからなる畳を畳１’と表し、これら２つの畳１，１’をそれぞれ適当数含む複数の畳を床面上に敷設することとする。
【００４４】
（複数の畳における溝部の連接）
複数の畳１，１’を敷設することによる溝部２ａ〜２ｆの連接について説明する。
【００４５】
図２（Ａ）に示す状態では、６つの畳１，１’が、それぞれの長手を同じ方向（図面左右方向）に向けて短手方向（図面上下方向）に間隙なく並んで、敷設されている。それにより、６つの畳１，１’それぞれの溝部２ａ，２ｂが図面左右方向に、２ｃ〜２ｆが図面上下方向に繋がる。
【００４６】
図２（Ｂ）に示す状態では、畳１，１’は、図面上下方向には整列しておらず、半畳分だけずれて、敷設されている。この場合には、溝部２ａ，２ｂが図面左右方向に繋がり、溝部２ｃと２ｆ、２ｄと２ｅが図面上下方向に繋がる。図面上下方向に繋がる。
【００４７】
図２（Ｃ）に示す状態では、長手方向を図面左右方向に向けた１つの畳１に対して、長手方向を図面上下方向に向けて図面左右方向に間隙なく並んだ２つの畳１‘が、畳１の長辺に当接して敷設されている。畳１の溝部２ｃ、２ｅが図面左側の畳１’の溝部２ａ、２ｂに繋がり、畳１の溝部２ｄ、２ｆが図面右側の畳１’の溝部２ａ、２ｂに繋がる。
【００４８】
離間距離ｄをすべての溝部２ａ〜２ｆについて等しく定めたことで、上述の通り床面上に間隙なく畳１，１’を敷設した際に、畳１，１’のそれぞれの向きに関係なく溝部２ａ〜２ｆが連接する（ひとつながりに連なる）こととなる。それにより、連接した溝部２ａ〜２ｆを介してケーブル等を敷設された畳１，１’の下に配設することが可能となる。
【００４９】
（具体的な敷設例）
床面上に敷設された畳１，１’の裏側に溝部２ａ〜２ｆを介してケーブル等を配設する例について説明する。
【００５０】
図３（Ａ）に示す状態では、６つの畳１，１’（２つの畳１及び４つの畳１’）が床面上に間隙なく敷設されている。この状態において、すべての畳１，１’の溝部２ａ〜２ｆは互いに繋がっている。そこで、外部電源７から、経路７ａ（図において太線で示す）を構成する溝部を介して２つの畳１のケーブルボックス３にケーブル等を配設することができる。６畳の部屋の中央部にコンセントが配置できる。
【００５１】
図３（Ｂ）には、飲食店の大広間における利用例を示す。図において、ケーブルボックス３を黒色の四角形で示す。溝部２ａ〜２ｆは省略し、経路７ａに相当する部分のみを点線で示す。４８畳の大広間に、図において網掛けで示す食卓８が並べられ、各食卓に注文入力用の端末装置が置かれている。電源ケーブルが溝部を通り、ケーブルボックス３を介して各々の端末装置に繋がっている。外部電源７は、壁面に１つ、床下に２つ設けられている。例えば、図に点線で示すように溝部に配線することで、ケーブル等が畳の上に露出しない。
【００５２】
（役物の畳）
畳を敷設する場所の大きさや形状は、長方形でなく斜めの辺を持つ形状であることもある。また、長方形であったとしても、辺の長さが９００ｍｍの倍数ではないこともある。かかる場合には、１８００ｍｍ×９００ｍｍの「真物」の畳のみを敷設することはできず、真物の畳の切断した「役物」の畳を使用する。
【００５３】
図４に、役物畳を使用する例を示す。役物畳１’’は、真物畳１を切断して作成されることが多い。現場において精密に切断するためである。図に示すように、真物畳に合わせて切断（敷設する場所の外まで真物畳がある場合を想定して敷設する場所の外縁で切断）すれば、真物畳と役物畳の溝部が繋がる。外部電源が斜めの辺に設けられていても、真物畳１のケーブルボックス３までの配線を行うことができる。
【００５４】
辺の長さが９００ｍｍの倍数の場合であっても、２辺とも奇数倍である場合には、真物の畳のみを敷設することはできない。９００ｍｍ四方の半畳の畳が必要となる。かかる半畳の畳も同様の技術である。
【００５５】
（まとめ）
以上詳細に説明したように、本実施形態の畳１，１’は、長辺の長さが短辺の長さの２倍の長方形状を有し、長方形の長辺（上辺及び下辺）にそれぞれ平行な溝部２ａ，２ｂと、長方形の短辺（左辺及び右辺）にそれぞれ平行な溝部２ｃ，２ｄと、長方形を長手方向に二分する中心線Ｌに平行であり、その中心線Ｌから長手方向の一側（左側）及び他側（右側）にそれぞれ位置する溝部２ｅ，２ｆと、が裏側に設けられ、上辺及び溝部２ａ、下辺及び溝部２ｂ、左辺及び溝部２ｃ、右辺及び溝部２ｄ、中心線Ｌ及び溝部２ｅ、並びに中心線Ｌ及び溝部２ｆ、のそれぞれの間の離間距離ｄはすべて等しく構成されている。それにより、床面上に間隙なく畳１，１’を敷設した際に、畳１，１’の向きに関係なく溝部２ａ〜２ｆが連接し、その連接した溝部２ａ〜２ｆを介してケーブル等を敷設された畳の下に配設することが可能となる。
【００５６】
本実施形態ではケーブルボックス３を使用したが、ケーブルボックスでなく、電源コンセント、着脱可能なガスプラグ、ＬＡＮケーブル用のハブ等をケーブル接続器具として用いてもよい。また、ケーブル接続器具に替えて孔部を設けてもよい。
【００５７】
本実施形態では、ケーブルボックス３を設けた畳１、及びケーブルボックス３を設けず本体のみからなる畳１’について説明し、畳１，１’に同様の溝部を設けた。ここで、ケーブルボックス３を設けた畳１については、ケーブルボックス３を任意の位置に設けることとし、ケーブルボックス３に接続する溝部を設けることでよく、畳１’と同様の溝部を必ずしも設けなくともよい。
【産業上の利用可能性】
【００５８】
本発明の畳は、ケーブル等を露出することなく裏側に配設するのに好適である。多くの飲食店、宴会場等における利用が考えられる。
【符号の説明】
【００５９】
１    畳
２ａ  溝部（第１溝部）
２ｂ  溝部（第２溝部）
２ｃ  溝部（第３溝部）
２ｄ  溝部（第４溝部）
２ｅ  溝部（第５溝部）
２ｆ  溝部（第６溝部）
３    ケーブルボックス
４    カバー
４ａ  開口
７    外部電源
７ａ  経路
８    食卓
【要約】
【課題】ケーブル等を裏側に配設することのできる畳を提供すること。
【解決手段】畳１，１’は、長辺の長さが短辺の長さの２倍の長方形状を有し、長方形の長辺（上辺及び下辺）にそれぞれ平行な溝部２ａ，２ｂと、長方形の短辺（左辺及び右辺）にそれぞれ平行な溝部２ｃ，２ｄと、中心線Ｌに平行であり、中心線Ｌから長手方向の一側（左側）及び他側（右側）にそれぞれ位置する溝部２ｅ，２ｆと、が裏側に設けられ、上辺及び溝部２ａ、下辺及び溝部２ｂ、左辺及び溝部２ｃ、右辺及び溝部２ｄ、中心線Ｌ及び溝部２ｅ、並びに中心線Ｌ及び溝部２ｆ、のそれぞれの間の離間距離ｄがすべて等しく構成されている。それにより、床面上に間隙なく畳１，１’を敷設した際に、畳１，１’の向きに関係なく溝部２ａ〜２ｆが連接し、その連接した溝部２ａ〜２ｆを介してケーブル等を敷設された畳の下に配設することが可能となる。
【選択図】図１【図１】
0005688824.tif 000002
【図２】
0005688824.tif 000003
【図３】
0005688824.tif 000004
【図４】
0005688824.tif 000005